(57)【要約】【課題】改善された、寝具及び寝具の制御方法を提供する。【解決手段】寝具は、複数の支持部と、検出部と、制御部とを備える。複数の支持部は、ユーザの頭部を支持し、高さを調整可能である。検出部は、複数の支持部のそれぞれにかかる圧力を検出する。制御部は、検出部が検出した圧力に基づき、複数の支持部のそれぞれの高さを調整する。【選択図】図６
2019051070.tif 000002
【特許請求の範囲】
【請求項１】
ユーザの頭部を支持し、高さを調整可能な複数の支持部と、
前記複数の支持部のそれぞれにかかる圧力を検出する検出部と、
前記検出部が検出した圧力に基づき、前記複数の支持部のそれぞれの高さを調整する制御部と、
を備える寝具。
【請求項２】
前記制御部は、前記支持部にかかる圧力が第１閾値を超えるとき、当該圧力に応じて当該支持部の高さを低くする、請求項１に記載の寝具。
【請求項３】
前記制御部は、高さを低くした支持部にかかる圧力が前記第１閾値よりも小さい第２閾値を下回ると判定したとき、当該支持部の高さを戻す、請求項２に記載の寝具。
【請求項４】
前記第１閾値は、前記頭部の重量と、前記頭部が前記載置面に接する面積とに基づいて、設定される、請求項２又は３に記載の寝具。
【請求項５】
前記支持部は、エアバッグである、請求項１から４の何れか一項に記載の寝具。
【請求項６】
ユーザの頭部を支持し、高さを調整可能な複数の支持部を備える寝具の制御方法であって、
前記複数の支持部のそれぞれにかかる圧力を検出するステップと、
前記検出した圧力に基づき、前記複数の支持部のそれぞれの高さを調整するステップと、
を含む寝具の制御方法。
【発明の詳細な説明】
【技術分野】
【０００１】
本開示は、寝具及び寝具の制御方法に関する。
【背景技術】
【０００２】
従来から、ユーザを眠り易い状態にする枕が開発されている。例えば、特許文献１には、ユーザの頭部をペルチェ素子によって冷却することで、ユーザを眠り易い状態にする枕が開示されている。
【先行技術文献】
【特許文献】
【０００３】
【特許文献１】特開２００５−１２４６０９号公報
【発明の概要】
【発明が解決しようとする課題】
【０００４】
しかしながら、従来の枕には、改善の余地がある。例えば、ユーザは、頭部にイヤホン等の機器を装着した状態で、枕に頭部を載せて寝る場合がある。
【０００５】
本開示の目的は、改善された寝具及び寝具の制御方法を提供することにある。
【課題を解決するための手段】
【０００６】
寝具の一態様は、複数の支持部と、検出部と、制御部とを備える。前記複数の支持部は、ユーザの頭部を支持し、高さを調整可能である。前記検出部は、前記複数の支持部のそれぞれにかかる圧力を検出する。前記制御部は、前記検出部が検出した圧力に基づき、前記複数の支持部のそれぞれの高さを調整する。
【０００７】
寝具の制御方法の一態様は、複数の支持部を備える寝具の制御方法である。前記複数の支持部は、ユーザの頭部を支持し、高さを調整可能である。前記寝具の制御方法は、前記複数の支持部のそれぞれにかかる圧力を検出するステップと、前記検出した圧力に基づき、前記複数の支持部のそれぞれの高さを調整するステップとを含む。
【発明の効果】
【０００８】
本開示によれば、改善された寝具及び寝具の制御方法を提供することができる。
【図面の簡単な説明】
【０００９】
【図１】一実施形態に係る枕の概略的な外観図である。
【図２】図１に示すＩ−Ｉ線に沿った枕の断面図である。
【図３】一実施形態に係る枕の機能ブロック図である。
【図４】一実施形態に係る枕の状態の一例を示す模式図である。
【図５】図４に示す状態において検出される圧力を示す図である。
【図６】支持部の高さを調整した後の枕の状態の一例を示す模式図である。
【図７】図６に示す状態において検出される圧力を示す図である。
【図８】一実施形態に係る枕の状態の一例を示す模式図である。
【図９】図８に示す状態において検出される圧力を示す図である。
【図１０】一実施形態に係る枕の処理の一例を示すフローチャートである。
【図１１】変形例に係る枕の断面図である。
【図１２】枕を備える通信システムの概略図である。
【発明を実施するための形態】
【００１０】
以下、本開示に係る寝具の実施形態について、図面を参照して説明する。本明細書では、寝具は、枕であるとして説明する。しかしながら、本開示の寝具は、枕に限定されない。本開示の寝具は、ユーザの睡眠時にユーザの頭部を支持するものであればよく、例えば、クッション、ネックピロー又は座布団等であってもよい。
【００１１】
図１は、一実施形態に係る枕１の概略的な外観図である。ただし、図１では、内部に備える機構の一部を破線で示している。図２は、図１に示すＩ−Ｉ線に沿った枕１の断面図である。なお、本明細書に記載の枕１について、上側は、図２の断面図の上側を意味し、下側は、その反対側を意味する。また、本明細書に記載の枕１について、左側は、図２の断面図の左側を意味し、右側は、図２の断面図の右側を意味する。
【００１２】
ユーザは、枕１に頭部を載せて眠ることができる。枕１は、例えばユーザの睡眠時、ユーザの頭部を支持する。図１に示す載置面Ｘは、枕１の上側の面であり、ユーザの頭部が載せられる面である。ここで、ユーザは、剛性物を頭部に装着した状態で、載置面Ｘに頭部を載せて寝る場合がある。剛性物は、例えば、イヤリング等の装飾品、及び、ウェアラブル機器（例えば、イヤホン、及び、睡眠中の脳波を検出する脳波検出器）等を含む。この場合、頭部における剛性物の装着位置によっては、剛性物が載置面Ｘに接触することがある。例えばユーザが耳に剛性物を装着した状態で頭部を載置面Ｘに載せ、顔を右側又は左側に向けると、剛性物が載置面Ｘに接触することがある。剛性物が載置面Ｘに接触すると、剛性物と載置面Ｘとが接触する位置に、ユーザの頭部の重量が集中して加わり、当該位置にかかる圧力が大きくなることがある。これにより、ユーザは、頭部において剛性物を装着した位置に痛みを感じることがある。本実施形態に係る枕１は、以下説明する構成により、剛性物と載置面Ｘとが接触する位置にかかる圧力を分散させることができる。これにより、枕１は、ユーザが頭部の剛性物を装着した位置に痛みを感じにくくすることができる。
【００１３】
枕１は、例えば、略直方体形状である。ただし、枕１の形状は、略直方体形状に限定されない。例えば、枕１の形状は、円柱形状、Ｕ字形状又はドーナツ形状等であってよい。
【００１４】
枕１は、全体が外装部１５で覆われる。枕１は、内部に、複数の支持部と、検出部１１と、制御ユニット２０とを備える。枕１は、複数の支持部として、複数のエアバッグを含む。図２に示すエアバッグ１０Ａ，１０Ｂ，１０Ｃ，１０Ｄ，１０Ｅ，１０Ｆ，１０Ｇ，１０Ｈは、複数のエアバッグの一部である。以下、複数のエアバッグを特に区別しない場合、「エアバッグ１０」という。
【００１５】
エアバッグ１０は、ユーザの頭部を支持する。エアバッグ１０は、図１に示すように、マトリックス状に配置される。エアバッグ１０は、可撓性及び気密性を有する材料で構成される。エアバッグ１０は、例えば、合成樹脂材料で構成されてよい。エアバッグ１０は、その内部の空気量を調整することによって、枕１の上下方向の高さを調整可能である。なお、エアバッグ１０は、エアバッグ本体の他、エアバッグに空気を供給するポンプ及び弁等も含む。エアバッグ１０の空気量は、制御ユニット２０の制御に基づいて、調整される。なお、支持部は、エアバッグに限定されない。支持部は、高さを調整可能な支持部材であれば、任意の支持部材であってよい。例えば、支持部は、コイル部材であってよい。
【００１６】
検出部１１は、複数のエアバッグのそれぞれにかかる圧力を検出する。検出部１１は、例えば、複数の圧力センサを含んで構成される。検出部１１は、複数のエアバッグ１０のそれぞれにかかる圧力を、各圧力センサによって検出する。検出部１１は、検出した圧力を、後述の制御部１４に出力する。
【００１７】
図２に示す圧力センサ１１Ａ，１１Ｂ，１１Ｃ，１１Ｄ，１１Ｅ，１１Ｆ，１１Ｇ，１１Ｈは、検出部１１が含む複数の圧力センサの一部である。圧力センサ１１Ａは、エアバッグ１０Ａの上に配置される。圧力センサ１１Ａは、エアバッグ１０Ａにかかる圧力を検出する。圧力センサ１１Ｂは、エアバッグ１０Ｂの上に配置される。圧力センサ１１Ｂは、エアバッグ１０Ｂにかかる圧力を検出する。圧力センサ１１Ｃは、エアバッグ１０Ｃの上に配置される。圧力センサ１１Ｃは、エアバッグ１０Ｃにかかる圧力を検出する。圧力センサ１１Ｄは、エアバッグ１０Ｄの上に配置される。圧力センサ１１Ｄは、エアバッグ１０Ｄにかかる圧力を検出する。圧力センサ１１Ｅは、エアバッグ１０Ｅの上に配置される。圧力センサ１１Ｅは、エアバッグ１０Ｅにかかる圧力を検出する。圧力センサ１１Ｆは、エアバッグ１０Ｆの上に配置される。圧力センサ１１Ｆは、エアバッグ１０Ｆにかかる圧力を検出する。圧力センサ１１Ｇは、エアバッグ１０Ｇの上に配置される。圧力センサ１１Ｇは、エアバッグ１０Ｇにかかる圧力を検出する。圧力センサ１１Ｈは、エアバッグ１０Ｈの上に配置される。圧力センサ１１Ｈは、エアバッグ１０Ｈにかかる圧力を検出する。
【００１８】
外装部１５は、枕１の全体を覆う。外装部１５の内部には、クッション性を有する素材が充填されてよい。例えば、外装部１５の内部には、パイプ、羽、綿又は発泡ビーズ等が充填されていてよい。
【００１９】
制御ユニット２０は、例えば、枕１の左側に配置される。ただし、制御ユニット２０は、枕１の任意の箇所に配置されてよい。例えば、制御ユニット２０は、枕１の右側に配置されてもよいし、枕１の外部に配置されてもよい。制御ユニット２０は、後述の制御部１４等を含む。
【００２０】
制御ユニット２０は、検出部１１の出力結果に基づいて、複数のエアバッグ１０のそれぞれの高さを調整する。制御ユニット２０の詳細な構成については後述する。
【００２１】
次に、枕１の機能の詳細について説明する。図３は、一実施形態に係る枕１の機能ブロック図である。
【００２２】
枕１は、複数の支持部としてのエアバッグ１０と、検出部１１とを備える。枕１は、さらに、制御ユニット２０として、記憶部１３と、制御部１４とを備える。制御ユニット２０は、さらに、通信部１２を含んでもよい。
【００２３】
通信部１２は、ネットワークを介して、外部の機器に接続される。通信部１２は、例えばBluetooth（登録商標）、赤外線、ＮＦＣ（Near Field Communication）、無線ＬＡＮ（Local Area Network）、有線ＬＡＮ、ＷＡＮ（Wide Area Network）、インターネット若しくはその他任意の通信媒体又はこれらの任意の組合せにより、通信することができる。
【００２４】
記憶部１３は、半導体メモリ又は磁気メモリ等で構成されてよい。記憶部１３は、各種情報及び制御部１４を動作させるためのプログラム等を記憶する。記憶部１３は、ワークメモリとしても機能してもよい。
【００２５】
制御部１４は、種々の機能を実行するための制御及び処理能力を提供するために、少なくとも１つのプロセッサ１４Ａを含む。少なくとも１つのプロセッサ１４Ａは、単一の集積回路（ＩＣ）として、又は、複数の通信可能に接続された集積回路ＩＣ及びディスクリート回路（discrete circuits）として実現されてもよい。少なくとも１つのプロセッサ１４Ａは、種々の既知の技術に従って実現されることが可能である。
【００２６】
ある実施形態において、プロセッサ１４Ａは、一以上のデータ計算手続及び処理を実行するために構成された、一以上の回路又はユニットを含む。例えば、プロセッサ１４Ａは、一以上のプロセッサ、コントローラ、マイクロプロセッサ、マイクロコントローラ、特定用途向け集積回路（ＡＳＩＣ）、デジタル信号処理装置、プログラマブルロジックデバイス、フィールドプログラマブルゲートアレイ又はこれらの組み合わせ若しくは構成の任意の組み合わせ、又は、他の既知のデバイス若しくは構成の組み合わせを含むことにより、以下に説明する機能を実行してもよい。
【００２７】
制御部１４は、複数のエアバッグ１０と、検出部１１と、通信部１２と、記憶部１３とに接続され、これらの各機能部をはじめとして、枕１の全体を制御及び管理する。制御部１４は、記憶部１３に記憶されているプログラムを取得する。制御部１４は、取得したプログラムを実行することにより、枕１の各部に係る種々の機能を実現する。
【００２８】
制御部１４は、検出部１１が検出した圧力に基づいて、複数のエアバッグ１０それぞれの高さを調整する。具体的には、例えば、検出部１１が検出した複数のエアバッグ１０のそれぞれにかかる圧力において、第１閾値を超える圧力が存在するか否か判定する。制御部１４は、第１閾値を超える圧力が存在するとき、当該圧力がかかるエアバッグ１０の高さを所定長低くする。所定長は、例えば、ユーザが頭部に装着し得る剛性物の大きさを想定して設定されてよい。所定長は、例えば、１ｃｍ程度であってよい。また、第１閾値は、例えば、ユーザの頭部の重量と、当該頭部が載置面Ｘに接する面積とに基づいて設定されてよい。
【００２９】
制御部１４は、上述の処理をエアバッグ１０にかかる圧力が第１閾値を下回るようになるまで繰り返す。これにより、制御部１４は、エアバッグ１０にかかる圧力が第１閾値を超えるとき、当該圧力に応じて、エアバッグの高さを低くすることができる。制御部１４の上述の処理の一例を、図４及び図５を参照して説明する。
【００３０】
図４は、一実施形態に係る枕１の状態の一例を示す模式図である。以下、載置面Ｘにおいて、エアバッグ１０Ａ、エアバッグ１０Ｂ、エアバッグ１０Ｃ、エアバッグ１０Ｄ、エアバッグ１０Ｅ、エアバッグ１０Ｆ、エアバッグ１０Ｇ及びエアバッグ１０Ｈのそれぞれ上側に位置する領域を「領域Ａ」、「領域Ｂ」、「領域Ｃ」、「領域Ｄ」、「領域Ｅ」、「領域Ｆ」、「領域Ｇ」及び「領域Ｈ」という。
【００３１】
図４では、ユーザ２は、頭部２Ａを載置面Ｘに載せている。ユーザ２は、耳２Ｂにウェアラブル機器２Ｃを装着した状態である。ユーザ２は、顔を右上に向けている。そのため、ウェアラブル機器２Ｃが領域Ｆに接触している。
【００３２】
図５は、図４に示す状態において検出される圧力を示す図である。図５は、圧力センサ１１Ａ〜１１Ｈによってそれぞれ検出される圧力を、便宜的に数値で表したものである。図５では、圧力が検出されていない状態を０で表し、検出される圧力が強くなるほど大きい数値で表す。圧力センサ１１Ａ〜１１Ｈにより検出される圧力は、エアバッグ１０Ａ〜１０Ｈにかかる圧力を表す。
【００３３】
図５では、圧力センサ１１Ｅにより検出される圧力は、２である。エアバッグ１０Ｅの上側に位置する領域Ｅは、図４に示すように、頭部２Ａと接触している。圧力センサ１１Ｆにより検出される圧力は、６である。エアバッグ１０Ｆの上側に位置する領域Ｆは、図４に示すように、ウェアラブル機器２Ｃが接触している。圧力センサ１１Ａ〜１１Ｄ，１１Ｇ，１１Ｈにより検出される圧力は、０である。エアバッグ１０Ａ〜１０Ｄ，１０Ｇ，１０Ｈの上側に位置する領域Ａ〜Ｄ，Ｇ，Ｈは、頭部２Ａ等と接触していない。このように、エアバッグ１０Ｆにかかる圧力は、他のエアバッグにかかる圧力と比較すると、大きくなる場合がある。つまり、ウェアラブル機器２Ｃが接触する領域Ｆにかかる圧力は、他の領域にかかる圧力と比較すると、大きくなる場合がある。
【００３４】
ここで、第１閾値は４であるとする。この場合、図５では、圧力センサ１１Ｆにより検出される圧力は、６であり、第１閾値４を超える。従って、制御部１４は、圧力が第１閾値を超えるエアバッグ１０Ｆが存在するため、エアバッグ１０Ｆの高さを所定長低くする。制御部１４は、例えば、エアバッグ１０Ｆの空気を抜くよう制御することによって、エアバッグの高さを所定長低くする。
【００３５】
このようにエアバッグ１０Ｆの高さを所定長低くすると、領域Ｆに集中してかかっていた圧力は、他の領域に分散される。この様子を、図６及び図７を参照して説明する。
【００３６】
図６は、エアバッグ１０Ｆの高さを調整した後の一例を示す模式図である。図６に示す構成要素において、図４に示す構成要素と同一のものは、同一符号を付して、その説明を省略する。
【００３７】
エアバッグ１０Ｆの高さを低くすることで、図６に示すように、領域Ｆは下側に凹み、ウェアラブル機器２Ｃの位置は下側に変位する。このような構成によって、領域Ｆに集中してかかっていた圧力は、他の領域に分散される。
【００３８】
図７は、図６に示す状態において検出される圧力を示す図である。圧力センサ１１Ｄにより検出される圧力は、１である。圧力センサ１１Ｅにより検出される圧力は、３である。圧力センサ１１Ｆにより検出される圧力は、１である。圧力センサ１１Ｇにより検出される圧力は、３である。このように、エアバッグ１０Ｆに集中していた圧力は、他のエアバッグ１０に分散される。つまり、領域Ｆに集中していた圧力は、他の領域に分散される。従って、ユーザは、ウェアラブル機器２Ｃが装着される耳２Ｂ付近に、痛みを感じにくくなる。
【００３９】
ここで、例えばユーザが寝返りを打ったり、顔の向きを変えたりすることで、ウェアラブル機器２Ｃが、領域Ｆから離れることがある。この場合、制御部１４は、高さを低くしたエアバッグ１０Ｆの高さを元に戻す。具体的には、制御部１４は、高さを低くしたエアバッグ１０Ｆが存在するとき、エアバッグ１０Ｆにかかる圧力が第２閾値を下回るか否かを、圧力センサ１１Ｆにより検出される圧力に基づいて判定する。第２閾値は、上述の第１閾値よりも小さい値である。制御部１４は、当該エアバッグ１０Ｆにかかる圧力が第２閾値を下回ると判定したとき、当該エアバッグ１０Ｆの高さを初期状態の高さに戻す。制御部１４のこの処理の一例を、図８及び図９を参照して説明する。
【００４０】
図８は、一実施形態に係る枕１の状態の一例を示す模式図である。図８に示す構成要素において、図４に示す構成要素と同一のものは、同一符号を付して、その説明を省略する。
【００４１】
図８では、領域Ｆの下側に配置されたエアバッグ１０Ｆの高さは、上述の処理によって、所定長低くなっている。図８では、ユーザ２は、顔を上側に向けている。そのため、ウェアラブル機器２Ｃは、図６と異なり、領域Ｆから離れている。また、頭部２Ａは、領域Ｃ〜Ｅと接触している。
【００４２】
図９は、図８に示す状態において検出される圧力を示す図である。図９では、圧力センサ１１Ｃ〜１１Ｅにより検出される圧力は、それぞれ、２、３及び３である。圧力センサ１１Ｆにより検出される圧力は、０である。圧力センサ１１Ａ，１１Ｂ及び１１Ｇにより検出される圧力は、０である。
【００４３】
ここで、第２閾値は、１であるとする。この場合、図９では、制御部１４は、エアバッグ１０Ｆにかかる圧力が第２閾値を下回ると判定する。従って、制御部１４は、エアバッグ１０Ｆの高さを初期状態の高さに戻す。制御部１４は、例えば、エアバッグ１０Ｆの空気量を増やすよう制御することで、エアバッグ１０Ｆの高さを初期状態の高さに戻す。なお、制御部１４は、エアバッグ１０Ｆの高さを徐々に（例えば所定長ずつ）高くしてもよい。この場合、制御部１４は、エアバッグ１０Ｆの高さを高くしていきながら、圧力センサ１１Ｆによってエアバッグ１０Ｆにかかる圧力を検出する。制御部１４は、エアバッグ１０Ｆの高さを、検出した圧力が第１閾値を超えない程度の高さになるまで、高くする。
【００４４】
図１０は、一実施形態に係る枕１の処理の一例を示すフローチャートである。例えば、制御部１４は、ユーザの頭部が載置面Ｘに載せられたと判定すると、図１０に示すフローを開始してもよい。この場合、制御部１４は、検出部１１が載置面Ｘにかかる圧力を検出したとき、ユーザの頭部が載置面Ｘに載せられたと判定してもよい。また、例えば、制御部１４は、ユーザの頭部が載置面Ｘから離れたと判定したとき、図１０に示すフローを終了してもよい。この場合、制御部１４は、検出部１１が載置面Ｘにかかる圧力を検出しないとき、ユーザの頭部が載置面Ｘから離れたと判定してもよい。
【００４５】
検出部１１は、複数のエアバッグ１０のそれぞれにかかる圧力をそれぞれ検出する（ステップＳ１０）。検出部１１は、検出した圧力を、制御部１４に出力する。
【００４６】
制御部１４は、検出部１１が検出した複数のエアバッグ１０のそれぞれにかかる圧力において、第１閾値を超える圧力が存在するか否か判定する（ステップＳ１１）。制御部１４は、第１閾値を超える圧力が存在すると判定したとき（ステップＳ１１：Ｙｅｓ）、ステップＳ１２の処理に進む。一方、制御部１４は、第１閾値を超える圧力が存在すると判定しないとき（ステップＳ１１：Ｎｏ）、ステップ１３の処理に進む。
【００４７】
ステップＳ１２の処理では、制御部１４は、圧力が第１閾値を超えるエアバッグ１０の高さを所定長低くする。その後、制御部１４は、ステップＳ１０の処理に戻る。制御部１４は、ステップＳ１０〜Ｓ１２の処理を繰り返すことで、エアバッグ１０にかかる圧力が第１閾値を超えるとき、当該圧力に応じて、エアバッグ１０の高さを低くすることができる。
【００４８】
ステップＳ１３の処理では、制御部１４は、高さを低くしたエアバッグ１０が存在するか否か判定する。制御部１４は、高さを低くしたエアバッグ１０が存在すると判定したとき（ステップＳ１３：Ｙｅｓ）、ステップＳ１４の処理に進む。一方、制御部１４は、高さを低くしたエアバッグ１０が存在すると判定しないとき（ステップＳ１３：Ｎｏ）、ステップＳ１０の処理に戻る。
【００４９】
ステップＳ１４の処理では、制御部１４は、高さを低くしたエアバッグ１０にかかる圧力が第２閾値を下回るか否か判定する。制御部１４は、高さを低くしたエアバッグ１０にかかる圧力が第２閾値を下回ると判定したとき（ステップＳ１４：Ｙｅｓ）、ステップＳ１５の処理に進む。一方、制御部１４は、高さを低くしたエアバッグ１０にかかる圧力が第２閾値を下回ると判定しないとき（ステップＳ１４：Ｎｏ）、ステップＳ１０の処理に戻る。
【００５０】
ステップＳ１５の処理では、制御部１４は、ステップＳ１４の処理にて圧力が第２閾値を下回ると判定したエアバッグ１０の高さを初期状態の高さに戻す。なお、制御部１４は、エアバッグ１０の高さを徐々に（例えば所定長ずつ）高くしてもよい。この場合、制御部１４は、エアバッグ１０の高さを高くしていきながら、検出部１１によってエアバッグ１０にかかる圧力を検出する。制御部１４は、エアバッグ１０の高さを、検出した圧力が第１閾値を超えない程度の高さになるまで、高くする。
【００５１】
このように、本実施形態に係る枕１は、複数のエアバッグ１０のそれぞれにかかる圧力に基づいて、エアバッグ１０の高さを調整する。このような処理によって、ユーザが装着した剛性物が載置面Ｘに接触しても、載置面Ｘにかかる圧力が分散させる。これにより、ユーザは、剛性物を装着している部分に痛みを感じにくくなる。従って、本実施形態によれば、改善された、枕１が提供され得る。
【００５２】
本開示を完全かつ明瞭に開示するためにいくつかの実施形態に関し説明してきた。しかしながら、添付の請求項は、上記実施形態に限定されるべきものでなく、本明細書に示した基礎的事項の範囲内で当該技術分野の当業者が創作し得る全ての変形例及び代替可能な構成を具現化するように構成されるべきである。また、いくつかの実施形態に示した各要件は、自由に組み合わせが可能である。
【００５３】
例えば、上記実施形態では、本開示の寝具は、枕であるものとして説明した。しかしながら、本開示の寝具は、枕に限定されない。本開示の寝具は、ユーザの頭部を支持するものであればよく、例えば、クッション、ネックピロー又は座布団等であってよい。
【００５４】
例えば、上記実施形態では、検出部１１はエアバッグ１０の上に配置されていた。しかしながら、検出部１１は、エアバッグ１０の下に配置されてもよい。図１１は、変形例に係る枕１Ａの断面図である。変形例に係る枕１Ａでは、圧力センサ１１Ａ〜１１Ｈは、それぞれ、エアバッグ１０Ａ〜１０Ｈの下に配置される。
【００５５】
例えば、枕１が通信部２３を備える場合、枕１は、ネットワークを介して外部のサーバ等と接続可能であってよい。図１２は、枕１を備える通信システム１００の概略図である。通信システム１００は、枕１と、サーバ３とを備える。サーバ３は、例えば、情報処理装置である。枕１と、サーバ３とは、ネットワーク２００を介して互いに通信可能に接続される。ネットワーク２００は、例えば、インターネットである。ただし、ネットワーク２００は、インターネットに限定されず、適宜のネットワークであってよい。また、ネットワーク２００は、無線、有線又はこれらの組み合わせであってよい。つまり、枕１と、サーバ３とは、有線若しくは無線又はこれらの任意の組合せにより構成されたネットワーク２００により接続され情報の送受信が行われてよい。
【符号の説明】
【００５６】
１  枕（寝具）
２  ユーザ
２Ａ  頭部
２Ｂ  耳
２Ｃ  ウェアラブル機器
３  サーバ
１０，１０Ａ，１０Ｂ，１０Ｃ，１０Ｄ，１０Ｅ，１０Ｆ，１０Ｇ，１０Ｈ  エアバッグ（支持部）
１１  検出部
１１Ａ，１１Ｂ，１１Ｃ，１１Ｄ，１１Ｅ，１１Ｆ，１１Ｇ，１１Ｈ  圧力センサ
２０  制御ユニット
２１  通信部
２２  記憶部
２３  制御部
２３Ａ  プロセッサ
１００  通信システム
２００  ネットワーク
【図１】
2019051070.tif 000003
【図２】
2019051070.tif 000004
【図３】
2019051070.tif 000005
【図４】
2019051070.tif 000006
【図５】
2019051070.tif 000007
【図６】
2019051070.tif 000008
【図７】
2019051070.tif 000009
【図８】
2019051070.tif 000010
【図９】
2019051070.tif 000011
【図１０】
2019051070.tif 000012
【図１１】
2019051070.tif 000013
【図１２】
2019051070.tif 000014